(57)【特許請求の範囲】
【請求項１】
銀行システムのコンピュータで実行され、オークションサイトで実行された出品者と落札者との間のオークション取引における商品購入代金の授受を仲介する方法であって、
前記銀行システムのコンピュータは、前記出品者と落札者の口座を、出品者と落札者のログイン情報により特定できるようにそれぞれ関連付けて管理しており、
この方法は、
（ａ）銀行システムのコンピュータが、前記オークションサイトから、落札した商品を特定するための商品ＩＤ、落札取引を特定するための落札キー、及び落札金額に関わる落札情報を取得する工程と、
（ｂ）銀行システムのコンピュータが、前記落札情報を取得したことに基づいて、前記落札キーに関連付けて前記商品購入代金を一時的に入金するためのエスクロー口座を生成する工程と、
（ｃ）銀行システムのコンピュータが、前記落札者の端末から入力された商品ＩＤに基づいて、落札情報を特定すると共に、前記落札者のログイン情報を入力させるためのログインインターフェースを前記落札者の端末に表示させる工程と、
（ｄ）銀行システムのコンピュータが、前記落札者のログイン情報に基づいて落札者の口座を特定すると共に、前記落札キーを入力させるための支払インターフェースを生成し前記落札者の端末に表示させる工程と、
（ｅ）銀行システムのコンピュータが、入力された落札キーに基づき前記エスクロー口座を特定し、前記落札者の口座から前記エスクロー口座に前記商品購入代金を振り替える工程と、
（ｆ）銀行システムのコンピュータが、前記落札者の端末から商品受領確認を受け取ったことに基づいて、前記エスクロー口座について着確認フラグをＯＮにする工程と、
（ｇ）銀行システムのコンピュータが、前記出品者の端末から入力された商品ＩＤに基づいて、落札情報を特定すると共に、前記出品者のログイン情報を入力させるためのログインインターフェースを前記出品者の端末に表示させる工程と、
（ｈ）銀行システムのコンピュータが、入力されたログイン情報に基づき前記出品者の口座を特定すると共に、前記着確認フラグがＯＮの場合に、前記エスクロー口座から前記出品者の口座に前記商品購入代金を振り替る工程と
を有することを特徴とする方法。
【請求項２】
請求項１記載の方法において、
前記出品者と落札者の商品売買は電子商取引市場において実行されるものであり、
前記（ａ）工程における商品ＩＤ及び落札キーは、前記電子商取引市場において生成若しくは登録されたものである
ことを特徴とする方法。
【請求項３】
請求項１記載の方法において、
前記（ｈ）工程は、コンピュータが、前記（ｆ）工程で落札者が商品受取確認を行った後、前記着確認フラグがＯＮの場合であって所定期間経過したことを条件に、前記エスクロー口座から前記出品者の口座への商品購入代金の振替えを実行する方法。
【請求項４】
請求項１記載の方法において、
前記落札者が入力するべき落札キーは、前記オークションサイトを運営するオークション主催者の有するサーバシステムからこの落札者の端末に通知されたものであることを特徴とする方法。
【請求項５】
請求項１記載の方法において、
（ｉ）コンピュータが、前記（ｃ）工程若しくは（ｄ）工程の後、前記出品者の端末に前記落札キーを通知する工程をさらに含むことを特徴とする方法。
【請求項６】
銀行システムのコンピュータで実行され、オークションサイトで実行された出品者と落札者との間のオークション取引における商品購入代金の授受を仲介するシステムであって、
前記銀行システムのコンピュータは、前記出品者と落札者の口座を、出品者と落札者のログイン情報により特定できるようにそれぞれ関連付けて管理しており、
（ａ）銀行システムのコンピュータが、前記オークションサイトから、落札した商品を特定するための商品ＩＤ、落札取引を特定するための落札キー、及び落札金額に関わる落札情報を取得する手段と、
（ｂ）銀行システムのコンピュータが、前記落札情報を取得したことに基づいて、前記落札キーに関連付けて前記商品購入代金を一時的に入金するためのエスクロー口座を生成する手段と、
（ｃ）銀行システムのコンピュータが、前記落札者の端末から入力された商品ＩＤに基づいて、落札情報を特定すると共に、前記落札者のログイン情報を入力させるためのログインインターフェースを前記落札者の端末に表示させる手段と、
（ｄ）銀行システムのコンピュータが、前記落札者のログイン情報に基づいて落札者の口座を特定すると共に、前記落札キーを入力させるための支払インターフェースを生成し前記落札者の端末に表示させる手段と、
（ｅ）銀行システムのコンピュータが、入力された落札キーに基づき前記エスクロー口座を特定し、前記落札者の口座から前記エスクロー口座に前記商品購入代金を振り替える手段と、
（ｆ）銀行システムのコンピュータが、前記落札者の端末から商品受領確認を受け取ったことに基づいて、前記エスクロー口座について着確認フラグをＯＮにする手段と、
（ｇ）銀行システムのコンピュータが、前記出品者の端末から入力された商品ＩＤに基づいて、落札情報を特定すると共に、前記出品者のログイン情報を入力させるためのログインインターフェースを前記出品者の端末に表示させる手段と、
（ｈ）銀行システムのコンピュータが、入力されたログイン情報に基づき前記出品者の口座を特定すると共に、前記着確認フラグがＯＮの場合に、前記エスクロー口座から前記出品者の口座に前記商品購入代金を振り替る手段と
を有することを特徴とするシステム。
【請求項７】
請求項６記載のシステムにおいて、
前記出品者と落札者の商品売買は電子商取引市場において実行されるものであり、
前記（ａ）手段における商品ＩＤ及び落札キーは、前記電子商取引市場において生成若しくは登録されたものである
ことを特徴とするシステム。
【請求項８】
請求項６記載のシステムにおいて、
前記（ｈ）手段は、コンピュータが、前記（ｆ）手段で落札者が商品受取確認を行った後、前記着確認フラグがＯＮの場合であって所定期間経過したことを条件に、前記エスクロー口座から前記出品者の口座への商品購入代金の振替えを実行するシステム。
【請求項９】
請求項６記載のシステムにおいて、
前記落札者が入力するべき落札キーは、前記オークションサイトを運営するオークション主催者の有するサーバシステムからこの落札者の端末に通知されたものであることを特徴とするシステム。
【請求項１０】
請求項６記載のシステムにおいて、
（ｉ）コンピュータが、前記（ｃ）手段若しくは（ｄ）手段の後、前記出品者の端末に前記落札キーを通知する手段をさらに含むことを特徴とするシステム。
【請求項１１】
請求項６記載のシステムにおいて、
さらに、
（ｊ）コンピュータが、前記落札者若しくは出品者のログイン情報に基づいて契約解除情報を入力するための契約解除インターフェースを生成して前記ログイン情報に係る落札者若しくは出品者の端末に表示させ、入力された解除情報に基づいて、前記エスクロー口座を使用不可にする手段
をさらに有することを特徴とするシステム。
【請求項１２】
請求項１１記載のシステムにおいて、
（ｋ）コンピュータが、前記エスクロー口座を使用不可にした後、前記出品者の口座若しくは前記エスクロー口座から前記落札者の口座への商品購入代金の返金処理を開始する手段
をさらに有することを特徴とするシステム。
【請求項１３】
請求項６記載のシステムにおいて、
（ｌ）コンピュータが、前記（ｆ）手段の後、所定期間内に（ｇ）手段が実行されない場合に、前記エスクロー口座から前記落札者の口座への商品購入代金の返金処理を開始する手段
をさらに有することを特徴とするシステム。
【発明の詳細な説明】
【０００１】
【発明の属する技術分野】
本発明は、例えば出品者のＷｅｂサイトを利用したオークション、いわゆるネットオークションに適用可能な商品購入代金決済方法及びそのシステムに関するものである。
【０００２】
【従来の技術】
近年、インターネット上で行われるオークションである「ネットオークション」が注目を集めている。
【０００３】
このネットオークションは、"競り"という一般の人には馴染みの薄い売買形式を身近なものにしたものであり、現在ではオンラインショッピングの1ジャンルとしても定着している。また、最近では、個人ユーザーでも出品できるオークションサイトも多数登場しており、"買う"だけでなく、モノを"売る"場としても利用が増えている。これに伴って、フリーマーケット感覚でモノを売りに出している者も多くなっている。
【０００４】
ところで、このように個人の利用が増えていることに起因して、商品及びその代金の授受においてトラブルが発生する確率が高まっている。すなわち、一般に、ネットオークションサイトは、オークションの場を提供するだけで、商品及び代金の授受はサービス範囲に含まない。したがって、商品を発送するタイミング、送料はどちらが負担するのか、代金の支払い方法などについては、出品登録時やオークションが終了後に当事者間で決定し、直接連絡を取り合わなければならない。このため、ネットオークション終了後の手続き時に両者の意識の相違により無用のトラブルが生じる可能性がある。
【０００５】
このような無用のトラブルを避けるため、代金支払いを仲介するための"エスクローサービス"が最近注目を集めている。エスクローサービスは、落札者から金融機関への商品購入代金の振込が確認された後、宅配業者等が商品の集配を行い、集配が確認された後に金融機関から前記商品購入代金を受け取ることができるというものである。
【０００６】
すなわち、このサービスは、料金を収受する金融機関及び商品を集配する宅配業者等と提携し、出品者と落札者間の料金及び商品の交換を安全に行うものであり、インターネットオークションの利用が拡大するにつれてその重要性が拡大している。
【０００７】
【発明が解決しようとする課題】
ところで、現在利用されているエスクローサービスは、何れも宅配業者を介するものであり、出品者と落札者間の送品配送方法についての自由度は少ないという欠点がある。
【０００８】
この発明は、このような事情に鑑みてなされたものであり、集配業者を介することなく、料金の収受を安全に行える決済方法を提供することを目的とするものである。
【０００９】
【課題を解決するための手段】
上記課題を解決するため、銀行システムで実行され、オークションにおける出品者と落札者との間の商品購入代金の授受を仲介する方法であって、（ａ）前記出品者と落札者との間の商品売買契約成立に基づいて生成されたセッションＩＤ及び落札キーを受け取る工程と、（ｂ）前記セッションＩＤ及び落札キーに関連付けられた口座であって、前記商品購入代金を入金するための商品購入代金用口座を生成する工程と、（ｃ）前記落札者が前記セッションＩＤ及び落札キーを入力したことに基づいて、前記商品購入代金を前記落札者の口座から前記商品購入代金用口座に振替える工程と、（ｄ）前記落札者に前記セッションＩＤ及び落札キーを入力させ、商品受取を確認させる工程と、（ｅ）前記落札者が商品受取確認を行い、かつ前記出品者が前記セッションＩＤ及び落札キーを入力したことに基づいて前記商品購入代金を前記商品購入代金用口座から前記出品者の口座に振替える工程とを有することを特徴とする方法が提供される。
【００１０】
このような一連の手順によれば、前記落札者３と出品者２のために両者がアクセスできる商品代金用口座を開設することで、集配業者を介することなく、料金の収受を安全に行える効果がある。なお、前記各工程で用いる落札キーは、全て同じものであることが好ましいが、異なるものを用いても良い。
【００１１】
ここで、この発明の一実施態様によれば、前記出品者と落札者の商品売買は電子商取引市場において実行されるものであり、前記（ａ）工程におけるセッションＩＤ及び落札キーは、前記電子商取引市場において生成若しくは登録されたものである。
【００１２】
また、他の一実施態様によれば、少なくとも前記（ｃ）及び（ｅ）工程は、さらに、落札者若しくは出品者の銀行口座を特定するための工程を有する。
【００１３】
さらに別の一実施態様によれば、前記（ｅ）工程は、前記（ｄ）工程で落札者が商品受取確認を行った後、所定期間経過したことを条件に、前記商品購入代金用口座から前記出品者の口座への商品購入代金の振替えを実行する。
【００１４】
さらに別の一実施態様によれば、前記落札者が入力する落札キーは、オークション主催者からこの落札者に通知されたものである。
【００１５】
さらに別の一実施態様によれば、（ｆ）前記（ｃ）工程若しくは（ｄ）工程の後、前記出品者に前記落札キーを通知する工程をさらに含む。
【００１６】
さらに別の一実施態様によれば、この方法は、さらに、（ｇ）前記落札者若しくは出品者が前記セッションＩＤ及び落札キーを入力し、商品購入契約の解除を入力したことに基づいて、前記商品購入代金用口座を使用不可にする工程を含む。
【００１７】
さらに別の一実施態様によれば、（ｈ）前記落札者が商品受取確認後、前記セッションＩＤ及び落札キーを入力し、商品購入契約の解除を入力したことに基づいて、前記出品者の口座若しくは前記商品購入代金用口座から前記落札者の口座への商品購入代金の返金処理を実行する工程をさらに有する。
【００１８】
さらに別の一実施態様によれば、（ｉ）前記（ｃ）工程の後、所定期間内に（ｄ）工程が実行されない場合に、前記商品購入代金用口座から前記落札者の口座への商品購入代金の返金処理を実行する工程をさらに有する。
【００１９】
この発明の第２の主要な観点によれば、銀行システムで実行され、オークションにおける出品者と落札者との間の商品購入代金の授受を仲介するシステムであって、（ａ）前記出品者と落札者との間の商品売買契約成立に基づいて生成されたセッションＩＤ及び落札キーを受け取る手段と、（ｂ）前記セッションＩＤ及び落札キーに関連付けられた口座であって、前記商品購入代金を入金するための商品購入代金用口座を生成する手段と、（ｃ）前記落札者が前記セッションＩＤ及び落札キーを入力したことに基づいて、前記商品購入代金を前記落札者の口座から前記商品購入代金用口座に振替える手段と、（ｄ）前記落札者に前記セッションＩＤ及び落札キーを入力させ、商品受取を確認させる手段と、（ｅ）前記落札者が商品受取確認を行い、かつ前記出品者が前記セッションＩＤ及び落札キーを入力したことに基づいて前記商品購入代金を前記商品購入代金用口座から前記出品者の口座に振替える手段とを有する。
【００２０】
このような構成によれば、前記この発明の第1の主要な観点に係る方法を実施することができるシステムが提供される。
【００２１】
なお、この発明の他の特徴と顕著な効果は次の発明の実施の形態の項及び添付した図面を参照することによって、より明確に理解される。
【００２２】
【発明の実施の形態】
以下、本発明の実施の形態を図面に基づき説明する。
【００２３】
図１は、この実施形態を示す概略構成図である。
【００２４】
図中１はオークションサイトのサーバシステム（オークションサーバシステム）、２はオークションサイトに商品を出品する出品者の端末（出品者端末）、３はオークションサイトで上記出品者が出品した商品を落札する落札者の端末（落札者端末）、４はオークションに係る商品購入代金の授受を仲介するための銀行のサーバシステム（銀行サーバシステム）である。銀行サーバシステム４には、この実施形態の決済処理を実行する決済システム５と、銀行口座の出入金を管理する銀行勘定システム６が設けられている。
【００２５】
これらの端末２、３及びサーバシステム１、４は、インターネット７その他の通信網（図示せず）を介して相互に通信可能に構成されている。なお、前記出品者端末２及び落札者端末３は、好ましくはパーソナルコンピュータである。このパーソナルコンピュータは携帯電話であっても良く、この場合には、各サーバ１，４と端末２、３間の通信は所定の携帯電話センターを通すものであることが望ましい。ただし、この図１では図面の複雑化を避けるため、その図示を省略している。
【００２６】
図２は、この発明の要部である決済システム５を示す機能ブロック図である。
【００２７】
この決済システム５は、前記出品者と落札者との間の商品売買契約成立に基づいて生成された当事者認証情報（セッションＩＤとしての出品番号及び落札キー）を受け取る当事者認証情報受取部１０と、前記当事者認証情報に関連付けられた口座であって、前記商品購入代金を入金するための商品購入代金用口座（エスクロー口座）を生成する口座生成部１１と、この商品購入代金用口座に対する種々の処理項目を提示する処理メニュー提示部１２と、前記処理メニューから選択した処理項目に応じた処理を実行するための処理シーケンス制御部１３と、各当事者の口座を特定するためのログイン処理を実行するログイン処理部１４と、各当事者の前記商品購入代金用口座へのアクセスを制御する商品購入代金用口座アクセス制御部１５と、前記商品購入代金を前記落札者の口座から前記商品購入代金用口座に振替える入金処理部１６と、前記落札者が商品受取を確認したことに基づいて前記出品者に商品受取確認キーを通知する商品受取処理部１７と、前記商品購入代金を前記商品購入代金用口座から前記出品者の口座に振替える出金処理部１８と、前記落札者が前記セッションＩＤ及び落札キーを入力し、落札者からの商品購入契約解除の指示を処理する契約解除処理部１９と、前記契約解除若しくはその他の条件に応じて前記出品者の口座から前記落札者の口座への商品購入代金の返金処理を実行する返金処理部２０とを有する。
【００２８】
ここで、前記口座生成部１１、入金処理部１６、出金処理部１８及び返金処理部２０は、前記銀行勘定システム６に直接指示を発することによって新規口座の作成及び口座間資金移動処理を実行するように構成されている。
【００２９】
また、前記入金処理部１６は、前記商品受取処理部１７で落札者が商品の受取を確認してから所定期間が経過したことを条件に、前記商品購入代金用口座から前記出品者の口座への商品購入代金の振替えを実行するようになっていることが好ましい。
【００３０】
上記の構成要素は、実際には、コンピュータシステム、このコンピュータシステムに設けられた記憶媒体及びこの記憶媒体にインストールされたコンピュータプログラムによって構成され、図示しないＣＰＵによって例えばＲＡＭ上に呼び出され実行されることで、この発明の機能を奏するようになっている。また、上記構成要素を構成するためのプログラムは、必ずしも上記構成要件ごとに１つのコンポーネント若しくはサブルーチンで構成されている必要はなく、複数の構成要素が１つのコンポーネント等で構成されていても良いし、１つの構成要素が複数のコンポーネントで構成されていても良い。
【００３１】
以下、前記構成要素の機能を実際の処理手順と共に図２、図３を参照して説明する。図２、図３中、Ｓ１〜Ｓ２３で示すのは、ステップ順序を参照するための記号であり、以下の説明中の引用符号（ステップＳ１〜Ｓ２３）と一致する。
【００３２】
まず、出品者と落札者との間で商品売買契約が成立すると、図３中１で示すオークションサイトサーバシステムから前記決済システム５に対して出品番号、落札キー及び落札情報（商品明細、金額）が送信される（ステップＳ１）。この出品番号及び落札キーは前記当事者認証情報受取部１０によって取得され、この情報に基づいて、前記口座生成部１１が前記商品購入代金を入金するための商品購入代金用口座（エスクロー口座）を生成する（ステップＳ２）。
【００３３】
一方、商品売買契約をした前記落札者３及び出品者２には、オークションサイト１からサービス開始に関する電子メールが送信される（ステップＳ３、ステップＳ４）。なお、落札者３に送信される電子メールには、少なくとも落札にかかる商品の明細（出品明細）及びユニークな落札キー、が記載されている。この落札キーは、後で説明する資金移動時の認証情報として使用されるものである。
【００３４】
この実施形態では、前記落札者３の受け取る電子メールには、上記出品明細、落札キーの他に前記出品者への連絡先として少なくとも電子メールアドレスが記載されている。この電子メールアドレスを利用して、前記落札者３は購入商品の送付先となる住所及び氏名を前記出品者に通知する（ステップＳ５）。
【００３５】
また、この実施形態で前記落札者３が受け取る前記電子メールには、支払い手段のオプションとして、前記銀行サーバシステム４へのリンクが含まれている。この場合、落札者３は、上記電子メールの記載中にあるリンクをクリックすることによって、図３に３０で示すエスクローメニュー画面へアクセスすることができる（ステップＳ６）。なお、上記決済手段に関するリンクへのアクセスが電子メールに含まれていない場合、落札者３は前記オークションサイトを通して前記エスクローメニュー画面３０にアクセスすることができるようになっていることが好ましい。
【００３６】
前記エスクローメニュー画面３０は、前記銀行サーバシステム４に設けられた前記処理メニュー提示部１２によって提示されるものであり、商品購入代金用口座に対する種々の処理項目を表示するようになっている。この実施形態では、前記エスクローメニュー画面３０には、"支払"、"着確認"、"入金確認"、"クーリングオフ"、"取引キャンセル"が処理項目として表示してあり、落札者３が各項目を選択できるようになっている。
【００３７】
そして、落札者３が処理メニューから各処理項目を選択すると、選択された項目に応じた処理が前記処理シーケンス制御部１３によって実行される。この実施形態では、落札者３はまず最初に"支払"を実行する。この場合、前記処理シーケンス制御部１３は図にＳ７〜Ｓ１０で示した一連の処理を実行する。以下、この手順を説明する。
【００３８】
この場合、まず、前記落札者３が、前記エスクローメニュー３０内の処理項目から"支払"を選択すると、前記処理シーケンス制御部１３は、この選択に応じて図に３１で示す出品番号入力画面３１を表示する(ステップＳ７)。前記出品番号入力画面３１には、出品番号を入力するための出品番号入力ボックスが表示されている。従って、前記落札者３は、電子メールで受け取った出品番号を前記出品番号入力ボックスへ入力する。
【００３９】
ついで、前記処理シーケンス制御部１３が、入力された出品番号に基づいて、前記落札情報にアクセスし、この出品番号に対応する商品落札情報（図に３７で示す）、すなわち商品名や決済金額に関する情報を取得し、図に３２で示す明細表示画面に表示する（ステップＳ８）。前記落札者３は、前記明細表示画面３２に表示する情報を確認し、情報が正しければ図示しないコマンドボタンＯＫをクリックする。このことに基づいて、前記処理シーケンス制御部１３が、図に３３で示す銀行ログイン画面を表示する（ステップＳ９）。
【００４０】
この銀行ログイン画面３３には、ログインに必要な情報、すなわち店番号、口座番号、落札キーを入力するための入力ボックス部が表示されている。利用者がこの入力ボックス部に必要な情報を入力すると、前記ログイン処理部１４がこの情報に基づいてログイン処理を実行し、前記落札者３の出金口座を特定する。前記ログイン処理部１４が利用者の口座を特定すると、これに基づき、前記処理シーケンス制御部１３が図に３４で示す振込画面を表示する（ステップＳ１０）。
【００４１】
この振込画面３４には、メールアドレス、出品番号などの支払いに関する情報と共に、落札キー入力部が表示されている。この落札キー入力部には、前記落札者３が商品売買契約後に受信した落札キーを入力する。前記落札者が前記振込画面３４に示された情報を確認し、落札キーを入力すると、前記商品購入代金用口座アクセス制御部１５が、入力された落札キーに対する認証を実行する。この認証が肯定的である場合には、前記入金処理部１６が前記銀行勘定システム６に指令を発し、前記落札金額を前記利用者の口座から前記商品購入代金口座に振り込む（ステップＳ１１）。そして、この振込みが終了したならば、前記前記商品購入代金用口座アクセス制御部１５は、この振込みを受け付けた旨の画面３５を表示する。
【００４２】
前記落札者３がこの画面で振り込みが完了した旨の確認をしたならば、この入金処理部１６が、前記出品者２へ電子メールを送信する（ステップＳ１２）。この電子メールには、少なくとも商品の明細（出品明細）、ユニークな落札キー及び前記落札者３の支払が完了した旨の報告が記載されている。すなわち、前記出品者２は、この電子メールを受信することにより、前記落札者３の支払が済んだことを知ることができるから、商品発送の準備を行うことができる。また、この電子メールは、前記落札者３の住所及び前記出品者２から前記落札者３への商品の発送を促す記載を含むことが好ましい。
【００４３】
前記出品者２は、電子メールを受信すると、この電子メール中に記載された商品送付先の落札者３へ商品を発送する（ステップＳ１３）。
【００４４】
ついで、この実施形態において商品を受け取った前記落札者３は、前記エスクローメニュー画面３０へアクセスし、自己が商品を受け取った旨の"着確認"を行う。以下、この着確認動作について説明する。
【００４５】
前記落札者が、前記エスクローメニュー画面３０内の処理項目から"着確認"を選択すると（ステップＳ１４）、前記処理シーケンス制御部１３は、図にＳ１５〜Ｓ１８で示す一連の処理を行う。なお、前記支払ステップ（ステップＳ７〜Ｓ１２）で説明したのと同様の画面には同一の符号を付してその詳しい説明は省略する。
【００４６】
まず、前記処理シーケンス制御部１３は、前記出品番号入力画面３１を表示し、前記落札者３に前記出品番号を入力させる。ここで、前記落札者３は上記支払ステップですでに明細表示の確認（ステップＳ８）を行っており再確認の必要はない。従って、前記処理シーケンス制御部１３は、このステップを行わず前記銀行ログイン画面３３を表示する（ステップＳ１６）。前記銀行ログイン画面３３には、上記支払の手順同様、ログインに必要な情報を入力するための入力ボックスが表示されている。従って、前記落札者３は、必要な情報をこれら入力ボックス内に入力する。
【００４７】
これらの情報が入力されると、前記ログイン処理部１４は、ログイン処理を実行する。そして、このログイン処理が肯定的である場合に、前記商品受取処理部１７が図に３８で示す着確認画面を表示する（ステップＳ１７）。この着確認画面３８には、少なくとも落札キー入力部が表示されている。また、この着確認画面３８には、前記落札者３が商品の受け取りの最終確認をするために、購入商品及び購入代金振替に関する情報が表示されるのが好ましい。前記落札者３は、前記入力部に落札キーを入力し図示しないコマンドボタンＯＫを選択することによって商品を受け取ったことを確認する。この確認がなされると、前記商品受取処理部１７が、出品明細、落札キーが記載されてなる着確認メールを前記出品者２へ送信する（ステップＳ１８）。前記出品者は着確認メールを受け取ることによって、前記落札者が商品を受け取った事実を知ることができる。
【００４８】
なお、ここで、前記商品受取処理部１７は、前記落札者３による着確認がなされたことに基づいて前記商品購入代金用口座の着確認フラグをＯＮにする。このことで、以後、前記出品者が前記購入代金を受け取ることが可能になる。
【００４９】
ここで、前記出品者が受け取る前記着確認メールには、前記落札者が前記商品購入用代金口座へ振り込んだ代金を受け取るための手順が記載されていることが好ましい。この実施形態では、このための説明中に、前記銀行サーバシステムの前記エスクローメニュー画面３０へのリンクを含ませるようになっている。
【００５０】
従って、この着確認メールを受け取った出品者２は、このリンクをクリックすることで、前記エスクローメニュー画面３０にアクセスして"入金確認"を行う。次に、この入金確認処理について説明する。
【００５１】
前記出品者が前記エスクローメニュー３０から"入金確認"を選択すると、前記処理シーケンス制御部１３は、前記出品者の選択に応じて図に示すステップＳ２０〜Ｓ２３を実行する。なお、上記支払ステップ（ステップＳ７〜Ｓ１２）及び着確認ステップ（ステップＳ１５〜Ｓ１８）で説明したのと同様の画面については同一符号を付し、その詳しい説明は省略する。
【００５２】
まず、前記処理シーケンス制御部１３は、前記出品番号入力画面３１を表示する（ステップＳ２０）。この画面で前記出品者が出品番号を入力すると、前記処理シーケンス制御部１３は、落札明細画面３２を表示し（ステップＳ２１）、出品者の確認を得た後、前記銀行ログイン画面３３を表示する（ステップＳ２２）。
【００５３】
前記銀行ログイン画面３３で、前記出品者は、自己の銀行口座（入金口座）の情報を入力する。この情報が入力されたならば、前記ログイン処理部１４がこの出品者２の口座の認証を行うと共に前記商品購入代金用口座アクセス制御部１５が商品購入代金用口座の認証を行う。そして、この認証が肯定的である場合には、前記出金処理部１８が、前記銀行勘定システム６に対し、前記商品購入代金用口座内の前記商品購入代金を前記出品者２の口座（入金口座）へ振替える旨の指令を発する。このとき、前記商品代金用口座の着確認フラグがＯＮになっていれば、前記振替えが実行され、前記出品者の口座に対して商品購入代金の入金がなされる（ステップＳ２３）。
【００５４】
このような一連の手順によれば、前記落札者３と出品者２のために両者がアクセスできる商品代金用口座を開設することで、集配業者を介することなく、料金の収受を安全に行える効果がある。
【００５５】
次に、前記商品の受け渡しをキャンセルする場合のクーリングオフおよび取引キャンセルの各手続きについて図４を参照して説明する。ここで、クーリングオフとは、落札者が商品を受け取り、出品者がその代金を受け取った後で、落札者が当該取引をキャンセルすることであり、商品および代金の返還処理を伴うものをいう。一方、取引キャンセルとは、商品および代金の受け渡しがある前に、落札者若しくは出品者が当該取引をキャンセルすることを指す。
【００５６】
クーリングオフを行う場合、前記落札者が、前記オークションサイト1を通じて前記銀行サーバシステム４のエスクローメニュー画面３０にアクセスし、メニューから"クーリングオフ"を選択する。このことで、前記処理シーケンス制御部１３が出品番号入力画面３１を表示し（ステップＳ２４）、落札者が出品番号を入力すると、前記ログイン画面３３を表示する（ステップＳ２５）。このログイン画面３３で必要な情報を入力すると、前記ログイン処理部１４が口座の認証を行い、この認証が肯定的である場合に、前記契約解除処理部１９がクーリングオフの確認画面４０を表示する（ステップＳ２６）。
【００５７】
なお、この契約解除処理部１９は、一定の期間内のみこのクーリングオフを許可するものであり、この期間経過後は前記代金入金用口座を利用不可にする。
【００５８】
また、このクーリングオフ確認画面４０には、クーリングオフの内容が表示されていることが好ましく、前記落札者３がこの画面の内容を確認し、図示しないコマンドＯＫを選択することで、前記契約解除処理部１９が前記出品者２に対してクーリングオフを行う旨の電子メールを送信する（ステップＳ２７）。この電子メールには、クーリングオフ明細の他、クーリングオフに伴う返金手順などの説明が含まれている。
【００５９】
また、前記落札者がクーリングオフを行ったことに伴い、前記返金処理部２０が前記購入代金入金用口座（エスクロー口座）の返金可能フラグをＯＮにして、この口座を利用して返金を行えるようにする。
【００６０】
一方、この電子メールを受け取った出品者２は、落札者３がクーリングオフを行ったことを知ることができ、これに基づいて、落札者３との間で商品の返送処理および返金処理を行うことになる。この場合の手順は、図３における落札者と出品者とが逆になって、出品者が返金の"支払"及び"着確認"を行い、落札者が"入金確認"を行うことで実行する。このような手順は、前記返金可能フラグがＯＮになっていることにより可能となる。
【００６１】
次に取引キャンセル時の手順について説明する。
【００６２】
この場合、前記落札者若しくは出品者が、前記オークションサイト1を通じて前記銀行サーバシステム４のエスクローメニュー画面３０にアクセスし、メニューから"取引キャンセル"を選択する。このことで、前記処理シーケンス制御部１３が出品番号入力画面３１を表示し（ステップＳ２８）、落札者若しくは出品者が出品番号を入力すると、前記取引明細表示画面３２を表示する（ステップＳ２９）。この取引明細表示画面３２を通じて、前記落札者若しくは出品者がその内容を確認すると、前記ログイン処理部が前記ログイン画面３３を表示する（ステップＳ３０）。このログイン画面３３で必要な情報を入力すると、前記ログイン処理部１４が口座の認証を行い、この認証が肯定的である場合に、前記契約解除処理部１９が取引キャンセルの確認画面４１を表示する（ステップＳ３１）。
【００６３】
この取引キャンセル確認画面４１には、キャンセルに係る取引の内容が再度表示されることが好ましく、前記落札者３若しくは出品者２がこの画面の内容を確認し、図示しないコマンドＯＫを選択することで、前記契約解除処理部１９が前記入金用口座を使用不可能にして、以後の処理が進展しないようにする。
【００６４】
なお、この発明は上記一実施形態に限定されるものではなく、発明の要旨を変更しない範囲で種々変形可能である。
【００６５】
例えば、上記一実施形態では、前記エスクローメニュー画面は、前記銀行サーバシステム４が表示するようになっているが、前記オークションサイト１が表示するものであっても良い。
【００６６】
また、上記一実施形態では、出品者が出品番号や銀行口座情報を入力（振替を指示）することによって振替が実行されるようにしたが（図３のＳ２０〜Ｓ２３）これに限定されない。例えば、所定期間が経過した後に自動的に出品者への入金振替処理を行っても良い。
【００６７】
さらに、上記商品受取処理部は、前記出品者に電子メールを送信するようにしているが、この電子メールに例えば着確認キーを添付しておき、この着確認キーを利用しなければ前記出品者が商品購入代金を受け取ることができないように構成しても良い。
【００６８】
また、セッションＩＤとしては、上記の出品番号以外の、例えばオークションの主催者が任意に付与した番号や特殊記号などでも良い。
【００６９】
さらに、ログインに必要な情報としては、上記の店番号、口座番号に代えて、利用者番号を入力させるようにしても良い。
【００７０】
【発明の効果】
以上説明した構成によれば、前記落札者と出品者のために両者がアクセスできる商品代金用口座を開設することで、集配業者を介することなく、料金の収受を安全に行える決済方法及びシステムを提供することができる。
【図面の簡単な説明】
【図１】この発明の一実施形態を示す概略構成図。
【図２】同じく、決済システムの構成を示す概略構成図。
【図３】同じく、処理を示すフロー図。
【図４】同じく、処理を示すフロー図。
【符号の説明】
１...オークションサイト
２…出品者（出品者端末）
３…落札者（落札者端末）
４…銀行サーバシステム
５…決済システム
６…銀行勘定システム
７…インターネット
１０…当事者認証情報受取部
１１…口座作成部
１２…処理メニュー提示部
１３…処理シーケンス制御部
１４…ログイン処理部
１５…商品購入代金用口座アクセス制御部
１６…入金処理部
１７…商品受取処理部
１８…出金処理部
１９…契約解除処理部
２０…返金処理部
３０…エスクローメニュー画面
３１...出品番号入力画面
３２…取引明細表示画面
３３...銀行ログイン画面
３４…振込画面
３８...着確認画面
４０…クーリングオフ確認画面
４１…取引キャンセル確認画面
【図１】
0005122707.tif 000002
【図２】
0005122707.tif 000003
【図３】
0005122707.tif 000004
【図４】
0005122707.tif 000005